(57)【要約】【課題】電気部品とバスバとの接続における工数や手間を軽減可能とする接続部材を提供する。【解決手段】電池装置１０における接続部材は、第１のバスバおよび第２のバスバを構成するバスバ２１、バスバ２２およびバスバ２３を備える。各バスバ２１，２２，２３は、主体部２１ａ，２２ａ，２３ａと、この主体部に設けられて、パワー素子の電力線部３２，４２と接続される部位である接続端子部と、をそれぞれ有する。バスバ２１またはバスバ２３とバスバ２２とが主体部の表面同士が対向し、主体部の表面に直交する方向に並んで設置されている。バスバ２１の接続端子部２１ａ１，２１ａ２とバスバ２２の接続端子部２２ｂ１，２２ｂ２，２２ｂ３，２２ｂ４とバスバ２３の接続端子部２３ａ１，２３ａ２とは、主体部の表面に沿う方向に並んでいる。【選択図】図３
2018067530.tif 000002
【特許請求の範囲】
【請求項１】
主体部（２１ａ，２２ａ，２３ａ）と、前記主体部に設けられて、電気部品（３，４）の部品側端子（３２，４２）と接続される部位である接続端子部（２１ａ１，２１ａ２，２２ｂ１，２２ｂ２，２２ｂ３，２２ｂ４，２３ａ１，２３ａ２）と、をそれぞれ有する第１のバスバ（２１，２３）および第２のバスバ（２２）を備え、
前記第１のバスバと前記第２のバスバが前記主体部の表面に直交する直交方向に並んで設置された状態で、前記第１のバスバの前記接続端子部と前記第２のバスバの前記接続端子部は前記直交方向に対して交差する交差方向に沿うように並んでいる接続部材。
【請求項２】
前記第１のバスバの前記接続端子部と前記第２のバスバの前記接続端子部は、前記主体部の表面に沿う方向に並んでいる請求項１に記載の接続部材。
【請求項３】
前記第１のバスバの前記接続端子部および前記第２のバスバの前記接続端子部は、前記主体部の表面に沿った前記部品側端子との接続面（２１ｃ，２２ｃ）を有する請求項２に記載の接続部材。
【請求項４】
前記第１のバスバの前記接続端子部および前記第２のバスバの前記接続端子部は、前記交差方向に沿う前記部品側端子との接続面（２１ｃ，２２ｃ）を有する請求項１に記載の接続部材。
【請求項５】
前記第１のバスバの前記接続端子部と前記第２のバスバの前記接続端子部は、前記直交方向について、前記第１のバスバまたは前記第２のバスバに一致する位置に設けられている請求項２または請求項３に記載の接続部材。
【請求項６】
前記第１のバスバの前記接続端子部と前記第２のバスバの前記接続端子部は、前記直交方向について、前記第１のバスバと前記第２のバスバとの間に位置するように設けられている請求項１から請求項４のいずれか一項に記載の接続部材。
【請求項７】
前記第１のバスバの前記接続端子部と前記第２のバスバの前記接続端子部は、前記直交方向に並ぶ複数のバスバのうち両端に設けられたバスバとバスバとの間に位置するように設けられている請求項１から請求項４のいずれか一項に記載の接続部材。
【請求項８】
前記第１のバスバは、前記主体部に対して電流が入出力する電流端子部（２１ｂ）を有し、
前記第２のバスバは、前記主体部に対して電流が入出力する電流端子部（２２ｄ）を有し、
前記第１のバスバの前記主体部と前記第２のバスバの前記主体部は板厚方向に間隔をあけて並んでおり、
前記第１のバスバの前記電流端子部と前記第２のバスバの前記電流端子部は、それぞれの前記主体部において、前記主体部が延びる方向に互いにずれた位置から同じ向きに突出するように設けられている請求項１から請求項７のいずれか一項に記載の接続部材。
【請求項９】
請求項１から請求項８のいずれか一項に記載の接続部材と、
前記接続端子部に接続されている前記部品側端子をそれぞれ有する複数の前記電気部品と、
を備える電気部品ユニット。
【請求項１０】
前記第１のバスバおよび前記第２のバスバを前記主体部の表面に直交する直交方向に並ぶように収容するバスバ収容ケース（１６）を備える請求項９に記載の電気部品ユニット。
【請求項１１】
請求項９または請求項１０に記載の電気部品ユニットと、二次電池（１３）と、を備える電池装置。
【発明の詳細な説明】
【技術分野】
【０００１】
この明細書における開示は、接続部材、電気部品ユニットおよび電池装置に関する。
【背景技術】
【０００２】
特許文献１には、組電池に対する電力の入出力を制御する複数のパワー素子を備える電池ユニットが開示されている。複数のパワー素子は、バスバに接続されて組電池等と電気的に連結されている。
【先行技術文献】
【特許文献】
【０００３】
【特許文献１】特開２０１６−４６１６７号公報
【発明の概要】
【発明が解決しようとする課題】
【０００４】
特許文献１の電池ユニットでは、複数のパワー素子の端子とバスバとの接続部は、各パワー素子の設置位置によって、ばらついた箇所に存在することがある。この場合、パワー素子とバスバとを接続する工程において、接続部を工具や機械が移動したり、接続のための位置合わせをしたりすることに工数や手間がかかるという課題がある。
【０００５】
この明細書における開示の目的は、電気部品とバスバとの接続における工数や手間を軽減可能とする接続部材、電気部品ユニットおよび電池装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された接続部材のひとつは、主体部（２１ａ，２２ａ，２３ａ）と、主体部に設けられて、電気部品（３，４）の部品側端子（３２，４２）と接続される部位である接続端子部（２１ａ１，２１ａ２，２２ｂ１，２２ｂ２，２２ｂ３，２２ｂ４，２３ａ１，２３ａ２）と、をそれぞれ有する第１のバスバ（２１，２３）および第２のバスバ（２２）を備える。第１のバスバと第２のバスバが主体部の表面に直交する直交方向に並んで設置された状態で、第１のバスバの接続端子部と第２のバスバの接続端子部は直交方向に対して交差する交差方向に沿うように並んでいる。
【０００８】
この接続部材によれば、複数のバスバについて、接続端子部が、主体部の表面に直交する直交方向に対して交差する方向に沿うように並んで配置されることになる。このため、複数の接続端子部のそれぞれと部品側端子とを接続する際に、工具や機械等を交差方向に沿って移動させて接続のための動作を行うことができる。したがって、工具や機械等の移動の過程において大きく方向を変化させたりする動作を抑制でき、電気部品とバスバとの接続部の形成における操作を簡素化でき容易に実施できる接続部材を提供できる。
【図面の簡単な説明】
【０００９】
【図１】第１実施形態に係る電池装置の構成を示した分解斜視図である。
【図２】第１実施形態の電池装置に関わる回路図である。
【図３】第１実施形態の電池装置について、パワー素子とバスバとの関係を示した分解斜視図である。
【図４】第１実施形態の電池装置について、パワー素子とバスバとの関係を示した部分平面図である。
【図５】第１実施形態の電池装置について、パワー素子とバスバとの関係を示した部分断面の側面図である。
【図６】第１実施形態のバスバを示した概要図である。
【図７】第１実施形態のバスバを示した側面図である。
【図８】第１実施形態のバスバを示した平面図である。
【図９】第２実施形態のバスバを示した概要図である。
【図１０】第２実施形態のバスバを示した側面図である。
【図１１】第２実施形態のバスバを示した平面図である。
【図１２】第３実施形態のバスバを示した概要図である。
【図１３】第３実施形態のバスバを示した側面図である。
【図１４】第３実施形態のバスバを示した平面図である。
【図１５】第４実施形態のバスバを示した概要図である。
【図１６】第５実施形態のバスバを示した平面図である。
【図１７】電力線部およびバスバの端子の他の第１例を示した図である。
【図１８】電力線部およびバスバの端子の他の第２例を示した図である。
【図１９】電力線部およびバスバの端子の他の第３例を示した図である。
【図２０】第６実施形態のバスバにおける大電流端子部を示した部分拡大図である。
【発明を実施するための形態】
【００１０】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各形態で具体的に組み合わせが可能であることを明示している部分同士の組み合わせばかりではなく、特に組み合わせに支障が生じなければ、明示していなくても形態同士を部分的に組み合せることも可能である。
【００１１】
（第１実施形態）
第１実施形態の電池装置１０について、図１〜図８を参照して説明する。電池装置１０は、二次電池を搭載する各種の電気機器に適用することができる。各種の電気機器は、例えば、蓄電池を有する装置、コンピュータ、車両等である。第１実施形態では、その一例として、電池装置１０を、内燃機関と電池駆動のモータとを組み合わせて走行駆動源とするハイブリッド自動車、電池駆動のモータによって走行する電気自動車等の車両に用いる場合について説明する。
【００１２】
電池装置１０の構成について図１を用いて説明する。電池装置１０は、複数の単電池を積層設置して構成されている組電池１３と、組電池１３における充放電の制御等を実施する回路基板２と、組電池１３を上方から拘束する抑制板１２と、組電池１３等を収容するケースと、を備える。電池装置１０は、例えば自動車の座席下、後部座席とトランクルームとの間の空間、運転席と助手席の間の空間に設置されている。ケースは、直方体状であり、電池装置１０の搭載場所に固定されるベースケース１５と、ベースケース１５を上方から覆うようにベースケース１５に装着されるカバー１１と、を備える。ベースケース１５およびカバー１１は、金属、例えばアルミニウム、銅、これらの合金により形成され、または、樹脂材料により形成されている。ベースケース１５を樹脂材料で形成する場合には、熱伝導性を有する樹脂材料を用いるか、あるいは樹脂材料に熱伝導性を有する材料を混合させることが好ましい。
【００１３】
組電池１３と回路基板２は、組電池１３が回路基板２よりも下方になるように互いに上下に対向して設置され、それぞれはベースケース１５にねじ締めを行うこと等により固定されている。ベースケース１５に対してカバー１１を上方から装着することにより、組電池１３、回路基板２がケース内に収容された状態となる。
【００１４】
電池装置１０は、電力の入出力が行われる端子台ユニット１４と、車両ＥＣＵ等に対して電気的に接続されるコネクタ部と、を備える。端子台ユニット１４は、Ｐｂ蓄電池接続用の端子台ユニット１４Ａと、ＩＳＧ接続用の端子台ユニット１４Ｂと、を備える。端子台ユニット１４Ａは、図２における、外部電池１７側に接続される第１入出力端子１４０と、第１入出力端子１４０を支持する端子台と、を有する。端子台ユニット１４Ｂは、図２における、回転機１９側に接続される第２入出力端子１４１と、第２入出力端子１４１を支持する端子台と、を有する。各端子台は絶縁性を有する樹脂材料によって形成されている。端子台ユニット１４Ａ、端子台ユニット１４Ｂは、互いに横並びとなる位置でそれぞれの端子台がベースケース１５に固定されている。
【００１５】
端子台ユニット１４Ａの第１入出力端子１４０には、ハーネスを介して外部電池１７と電気負荷１８とが接続されている。端子台ユニット１４Ｂの第２入出力端子１４１には、ハーネスを介して回転機１９が接続されている。回転機１９は、例えば電動発電機である。コネクタ部には、制御部１００との通信が可能な車両ＥＣＵが接続されるとともに、電池装置１０からの電力供給の対象となる各種の電気負荷にも接続可能となるように構成されている。各端子台ユニットやコネクタ部は、ケースの外周部に設けられ、電池装置１０の外部に露出した状態で設けられている。
【００１６】
ベースケース１５は、ベース部１５ａと、ベース部１５ａから起立する固定用のボス部１５ｂと、ベース部１５ａから起立する側壁部１５ｃと、を有する。ベース部１５ａは、方形状をなしており、その周縁部等には側壁部１５ｃが形成されている。ベース部１５ａは、組電池１３が置かれている電池載置部となっている。側壁部１５ｃやボス部１５ｂの上端部には、回路基板２、抑制板１２のそれぞれがねじ等によって固定されている。ベース部１５ａの外周縁には、外側に向けて突出する複数の取付部が設けられている。
【００１７】
ベース部１５ａの上には、組電池１３を構成する第１電池積層体１３ａと第２電池積層体１３ｂが所定の方向に並んで設置されている。第１電池積層体１３ａと第２電池積層体１３ｂは、平面視した状態において横方向に並んで設置されている。第１電池積層体１３ａおよび第２電池積層体１３ｂの上方には、回路基板２が設けられている。
【００１８】
電力制御用の半導体素子である第１パワー素子３や第２パワー素子４は、半導体スイッチング素子であり、電池に対する電力の入出力を制御するスイッチ装置の一例である。スイッチ装置は、第１のバスバおよび第２のバスバそれぞれの接続端子部に接続される電気部品の一例である。電気部品には、スイッチ装置の他、ヒューズ、抵抗、コンデンサ等の部品が含まれる。第１パワー素子３や第２パワー素子４の外装部は、装置の心臓部を保護する外装ケースに相当し、内部の発熱を外部に放出可能な各種の材質で構成されている。外装部は、例えば樹脂によって形成された扁平な直方体状の形状である。
【００１９】
ベースケース１５には、第１パワー素子３において生じる熱を外部に放出するために放熱経路の一部を構成する、第１放熱部材としての放熱部材６Ａが一体に設けられている。ベースケース１５には、第２パワー素子４において生じる熱を外部に放出するために放熱経路の一部を構成する、第２放熱部材としての放熱部材６Ｂが一体に設けられている。放熱部材６Ａ，６Ｂはベースケース１５の一部分をなしている。放熱部材６Ａ，６Ｂは、例えば、アルミニウム、銅、これらの合金によって形成することができる。放熱部材６Ａ，６Ｂは、組電池１３と隣り合わせとなる位置において、第１パワー素子３や第２パワー素子４の外装部に対向している。放熱部材６Ａ，６Ｂと組電池１３は横方向に並んで配列されている。第１パワー素子３や第２パワー素子４と組電池１３は、放熱部材６Ａ，６Ｂと組電池１３の配列方向に並んで設置されている。
【００２０】
放熱部材６Ａや放熱部材６Ｂは、組電池１３と隣り合わせとなる位置に設けられ、その上面の平坦部が熱伝導性部材５を挟んで第１パワー素子３や第２パワー素子４の外装部に対向している。熱伝導性部材５は、熱伝導性および電気絶縁性を有する部材であり、例えばシリコン系の材質である部材を用いることができる。熱伝導性部材５は、スイッチ装置の外面を形成する外装部や放熱部材６Ａ，６Ｂと密着するために外力により変形可能であることが好ましく、例えば、弾性変形可能なシート、ゲル、グリス等で構成することができる。熱伝導性部材５によって、各パワー素子と放熱部材６Ａ，６Ｂとの間は、熱移動可能であるとともに電気絶縁されている。
【００２１】
電池装置１０は、放熱部材６Ａ，６Ｂからの熱が移動可能にケースに設けられている複数の取付部１５ａ１を備える。放熱部材６Ａ，６Ｂは、複数の取付部１５ａ１を介して車両の一部である車両側部材へ熱移動可能な構成である。取付部１５ａ１は、車両側部材へ放熱可能な構成で車両側部材に直接的または間接的に取り付けられている。各取付部１５ａ１は、車両側部材に対するボルト締めやねじ締め、溶接等の固定手段によって固定されている。車両側部材は、例えば、車両に所定の機器が固定されるフレーム部材、シャシーに結合されている部材、車室内を形成する内装材を支持する部材等である。
【００２２】
第１パワー素子３で生じた熱は、放熱部材６Ａに移動し、さらにベース部１５ａに移動した後、複数の取付部１５ａ１のうち第１パワー素子３から最も近い位置にある取付部１５ａ１を介して車両側部材に放熱される。第２パワー素子４で生じた熱は、放熱部材６Ｂに移動し、さらにベース部１５ａに移動した後、複数の取付部１５ａ１のうち第２パワー素子４から最も近い位置にある取付部１５ａ１を介して車両側部材に放熱される。
【００２３】
この明細書において平面視した状態とは、組電池１３とベースケース１５のベース部１５ａとが上下方向に位置する姿勢で電池装置１０を設置している場合に、組電池１３をベース部１５ａ側に向かって下方にみた状態を指している。
【００２４】
端子台ユニット１４Ａと端子台ユニット１４Ｂは、ケースと一体であって、第２パワー素子４よりも第１パワー素子３に近い位置で横方向に並んで設置されている。したがって、端子台ユニット１４Ａと端子台ユニット１４Ｂは、複数の取付部１５ａ１のうち、第１パワー素子３に最も近い位置にある取付部１５ａ１の近くにケースに一体に設置されている。端子台ユニット１４Ａと端子台ユニット１４Ｂは、ケースの一部として設けられてもよいし、ケースとは別個の部品であってケースに装着されることで、ケースと一体に設置されている構成でもよい。
【００２５】
複数の取付部１５ａ１は、車両側部材にブラケットを介して連結されている構成でもよい。このブラケットは、熱伝導性を有する材料で形成されており、複数の取付部１５ａ１と車両側部材とを連結する連結用部材である。放熱部材６Ａや放熱部材６Ｂの内部は、内部が空洞である矩形状の箱体である。各パワー素子で生じた熱は、その外装部から放熱部材の接触部に移動し、放熱部材６Ａ，６Ｂの平坦部から側壁に伝わって下方に移動する。さらに熱は側壁の下端からベース部１５ａに伝わり、取付部１５ａ１を介して車両側部材に放出される。このように構成された第１パワー素子３と第２パワー素子４の放熱経路には、組電池１３が存在しないため、熱移動に伴う組電池１３の不具合を抑制できる構成になっている。
【００２６】
次に、各パワー素子に対する、回路基板２、熱伝導性部材５、放熱部材６Ａ，６Ｂおよび取付部１５ａ１に係る設置関係、パワー素子の熱が取付部まで伝達する放熱経路について説明する。なお、以下に説明する回路基板２、放熱部材６Ａとの設置の関係に関しては、第１パワー素子３と第２パワー素子４は同様の構成である。したがって、第２パワー素子４の信号線部４１は第１パワー素子３の信号線部３１に対応し、第２パワー素子４の電力線部４２は第１パワー素子３の電力線部３２に対応する。
【００２７】
電池装置１０では、第１パワー素子３、第２パワー素子４等のスイッチ装置は、電力供給のための電流が流れていない信号線部３１によって、回路基板２に対して信号通信可能な状態で連結されている構成である。さらにスイッチ装置は、電力供給のための大電流が流れる電力線部３２が回路基板２に接続されていない構成である。したがって、スイッチ装置において装置本体および電力線部３２を流れる大電流は、回路基板２には伝達されない構成となっている。
【００２８】
第１パワー素子３は、回路基板２から離れた位置で、その厚さ方向が回路基板２の主面である表面に対して直交するような横置き姿勢で設置されており、熱伝導性部材５を介して間接的に放熱部材６Ａに接触している。したがって、第１パワー素子３と放熱部材６Ａは、組電池１３に対して横方向に隣接した位置に設置されている。第１パワー素子３は、外装部から信号線部３１および電力線部３２が突出する方向が回路基板２の主面に沿う方向であり、信号線部３１と電力線部３２とが突出する端部間の長さをなす素子幅の方向が回路基板２の主面に沿う方向となるように設置されている。第１パワー素子３は、外装部の幅寸法が厚さ寸法よりも長くなる扁平状の外形形状である。
【００２９】
信号線部３１は、外装部から横方向に突出してから回路基板２の主面に対して直交する方向に折れ曲がるように延びて回路基板２に接続されており、または回路基板２に実装された電気部品に接続されている。電力線部３２は回路基板２には接続されておらず、バスバ２１，２２，２３を介して第１入出力端子１４０や第２入出力端子１４１に連結されている導電性の部品側端子である。電力線部３２は、溶接等によってバスバ２１，２２，２３に接合されている導電性の部品側端子である。図３および図４に示すように、バスバ２１、バスバ２２、バスバ２３は、組電池１３等とともにベースケース１５に収容されるバスバ支持部材１６に支持されている銅製の導電性部材である。各バスバは、第１入出力端子１４０や第２入出力端子１４１に連結されている導電性の板状部材である。バスバ支持部材１６は、バスバ２１、バスバ２２およびバスバ２３を安定した状態で収容するバスバ収容ケースでもある。バスバ支持部材１６は、電気絶縁性を有した材料によって形成されて、各バスバと周囲の部材とを絶縁する。
【００３０】
放熱部材６Ａ，６Ｂは、パワー素子との熱的な接続部分が横方向に延びる面に有している。また、パワー素子の外装部は、熱伝導性部材５を介さないで放熱部材６Ａ，６Ｂに直接接触するように設置されている構成でもよい。第１パワー素子３を熱伝導性部材５や放熱部材６Ａに固定する手段は、絶縁性を有する接着剤、例えばシリコン系接着剤や、ボルトやねじによる締結固定によって構成することができる。放熱部材６Ａ，６Ｂは、組電池１３が収容されているベースケース１５におけるベース部１５ａへ熱移動可能となる形態で設置されている。以上の構成により、パワー素子の外装部から熱伝導性部材５を通じて放熱部材６Ａや放熱部材６Ｂに移動した熱は、ベース部１５ａに移動した後、さらに取付部１５ａ１を介して車両側部材に移動する放熱経路により放出される。
【００３１】
制御部１００は、少なくとも組電池１３の蓄電量を管理する機器であり、電池管理ユニット（Battery Management Unit）であってもよい。また、電池管理ユニットは、組電池１３に関する電流、電圧、温度を監視するとともに、単電池の異常、漏電異常等を管理する機器であってもよい。電池管理ユニットは、車両に搭載された各種の電子制御装置と通信可能に構成されている。電池管理ユニットには、電流センサによって検出された電流値に係る信号が入力されてもよいし、メインリレーやプリチャージリレーの作動を制御する制御装置であってもよい。電池管理ユニットは、単電池等の発熱体を冷却するために、冷却用流体を駆動する送風装置のモータの作動を制御する機器として機能してもよい。電池管理ユニットは、車両に搭載された各種の電子制御装置（例えば車両ＥＣＵ）と通信可能に構成されている。
【００３２】
図２に示すように、電池装置１０に関わる回路の構成は、外部電池１７、組電池１３、電気負荷１８、回転機１９、第１パワー素子３、第２パワー素子４、制御部１００等を含んでいる。組電池１３は、電池装置１０を収容するケースの内部に設置されている内部電池であり、例えばリチウムイオン二次電池で構成されている。組電池１３は抵抗が小さく回生性能に優れた二次電池であることが好ましい。外部電池１７は、電池装置１０を収容するケースの外部に設置されている二次電池であり、例えば鉛蓄電池で構成されている。外部電池１７は、内部電池とは離れた別の場所に設置されており、大容量の二次電池であることが好ましい。
【００３３】
組電池１３は、例えば直列接続された複数の単電池を有して構成されており、これらの単電池が所定の配列でひとかたまりとなってケースに収容されている。この実施形態では図１に図示するように、上下に２個積層された第１電池積層体１３ａと上下３個積層された第２電池積層体１３ｂとが横に並べて２列に配置されている。５個の単電池は、いずれも薄型の直方体状をなすリチウムイオン二次電池であり、その厚さ方向を上下方向に向けた横置き設置である。各電池積層体は、構成するすべての単電池が直列に結線されることにより、通電可能に接続されている。すべての電池積層体は、通電可能に接続され、かつ一体に連結されることにより、電池装置１０の組電池１３として機能する。
【００３４】
制御部１００を構成する部品は、回路基板２に実装されている。回路基板２は、電池管理ユニットとして機能を有するＢＭＵ基板とも称されている。制御部１００は、前述する各パワー素子である各スイッチのオン（閉鎖）とオフ（開放）との切り換えを実施し、これにより、外部電池１７、組電池１３のそれぞれに対する充放電を制御する。
【００３５】
電池装置１０には、外部端子として第１入出力端子１４０、第２入出力端子１４１が設けられている。第１入出力端子１４０には、外部電池１７と電気負荷１８とが並列に接続され、外部電池１７とは反対側に第１パワー素子３が接続され、第１パワー素子３に対して第２入出力端子１４１が直列に接続されている。第２パワー素子４は、組電池１３に対して直列に接続されている。第２入出力端子１４１には、第１パワー素子３と第２パワー素子４とが並列に接続されている。換言すれば、第２入出力端子１４１に対する、第１パワー素子３を含む経路と第２パワー素子４を含む経路との接続部には、第２入出力端子１４１が接続されている。外部電池１７は、電気負荷１８に対して電力供給可能なように接続されている。電気負荷１８は、定電圧要求電気負荷以外の一般的な電気負荷であり、例えば、ヘッドライト、フロントウインドシールド等のワイパ、空調装置の送風ファン、リヤウインドシールドのデフロスタ用ヒータ等である。
【００３６】
第２入出力端子１４１には、パワー素子とは反対側に回転機１９が接続されている。したがって、回転機１９には、第１パワー素子３と第２パワー素子４とが並列に接続されている。第１スイッチ装置である第１パワー素子３は、外部電池１７、電気負荷１８のそれぞれと回転機１９とを通電可能な状態と不可能な状態とに切り替えるスイッチ装置として機能する。第２スイッチ装置である第２パワー素子４は、組電池１３と回転機１９とを通電可能な状態と不可能な状態とに切り替えるスイッチ装置として機能する。
【００３７】
回転機１９は、エンジンのクランク軸の回転により発電、すなわち回生発電を行う発電機能と、クランク軸に回転力を付与する動力出力機能とを備えて、ＩＳＧ（Integrated Starter Generator）を構成する。外部電池１７と組電池１３とは、回転機１９に対して並列に電気接続されている。外部電池１７は、第１パワー素子３のオンにより、回転機１９からの電力供給可能な状態になり、回生電力が充電可能になる。組電池１３は、第２パワー素子４のオンにより、回転機１９からの電力供給可能な状態になり、回生電力が充電可能になる。したがって、第１パワー素子３、第２パワー素子４のそれぞれは、回転機１９と各電池との間で比較的大きな電流が流れることが想定される大電流経路の一部をなす。
【００３８】
次にバスバ２１，２２，２３の構成と、バスバ２１，２２，２３とパワー素子３，４との関係について図３および図４を参照して説明する。各バスバは、導電性の板状部材であり、パワー素子３，４の電力線部３２や電力線部４２に接続されて、電力供給のための大電流が通電する。バスバ２１とバスバ２３は、複数のパワー素子が並ぶ方向であるスイッチ並び方向に並んだ状態でバスバ支持部材１６に収容されている。バスバ２２は、バスバ２１およびバスバ２３に対してパワー素子とは反対側に設置されている。バスバ２２は、図４に図示するバスバ側で、換言すればスイッチ装置の反対側で、バスバ２１およびバスバ２３に対して重なるように設置されている。
【００３９】
バスバ２１は、スイッチ装置並び方向に細長い主体部２１ａと、主体部２１ａからそれぞれ突出する接続端子部２１ａ１および接続端子部２１ａ２と、主体部２１ａの一端に設けられる大電流端子部２１ｂと、を備える。主体部２１ａが細長く延びている方向は、複数のスイッチ装置が並んでいるスイッチ装置並び方向（スイッチ並び方向ともいう）に沿っている。バスバ２１における接続端子部は、矩形板状である主体部２１ａの外縁における所定の位置から外側に向けて突出する脚部の先端側に位置する部位である。バスバ２１は、接続対象とするスイッチ装置における電力端子部の個数に応じた数の接続端子部および脚部を備えている。バスバ２１の各脚部が突出する方向や、その形状、曲げ角度、曲げ回数は、接続対象とする電力端子部の位置によって設定されている。
【００４０】
大電流端子部２１ｂは、主体部２１ａの一端で第１入出力端子１４０に結合されることにより、大電流が通電する。大電流端子部２１ｂは、主体部２１ａに対して電流が入出力する電流端子部である。接続端子部２１ａ１、接続端子部２１ａ２は、スイッチ並び方向に沿うように間隔をあけて設けられた、上方に突出する矩形状部である。さらに接続端子部２１ａ１と接続端子部２１ａ２は、スイッチ装置およびバスバの並び方向について、換言すれば上下方向とスイッチ並び方向との両方に垂直な方向について、揃った位置となるように設けられている。接続端子部２１ａ１は、最も大電流端子部２１ｂに近い位置にある第１パワー素子３の電力線部３２と結合する端子部である。接続端子部２１ａ２は、大電流端子部２１ｂから二番目に近い位置にある第１パワー素子３の電力線部３２と結合する端子部である。
【００４１】
バスバ２３は、スイッチ並び方向に細長い主体部２３ａと、主体部２３ａからそれぞれ突出する接続端子部２３ａ１および接続端子部２３ａ２と、主体部２３ａの他端に設けられる大電流端子部２３ｂと、を備える。主体部２３ａが細長く延びている方向は、複数のスイッチ装置が並んでいるスイッチ並び方向に沿っている。バスバ２３における接続端子部は、矩形板状である主体部２３ａの外縁における所定の位置から外側に向けて突出する脚部の先端側に位置する部位である。バスバ２３は、接続対象とするスイッチ装置における電力端子部の個数に応じた数の接続端子部および脚部を備えている。バスバ２３の各脚部が突出する方向や、その形状、曲げ角度、曲げ回数は、接続対象とする電力端子部の位置によって設定されている。
【００４２】
大電流端子部２３ｂは、主体部２３ａの他端で組電池１３に繋がる入出力端子に結合されることにより、大電流が通電する。接続端子部２３ａ１、接続端子部２３ａ２は、スイッチ並び方向に沿うように間隔をあけて設けられた、上方に突出する矩形状部である。さらに接続端子部２３ａ１と接続端子部２３ａ２は、スイッチ装置およびバスバの並び方向について、換言すれば上下方向とスイッチ並び方向との両方に垂直な方向について、揃った位置となるように設けられている。接続端子部２３ａ２は、最も大電流端子部２３ｂに近い位置にある第２パワー素子４の電力線部４２と結合する端子部である。接続端子部２３ａ２は、大電流端子部２３ｂから二番目に近い位置にある第２パワー素子４の電力線部４２と結合する端子部である。
【００４３】
バスバ２２は、スイッチ並び方向に細長い主体部２２ａと、主体部２２ａからそれぞれ突出する接続端子部２２ｂ１、接続端子部２２ｂ２、接続端子部２２ｂ３および接続端子部２２ｂ４と、主体部２２ａの一端に設けられる大電流端子部２２ｄと、を備える。主体部２２ａが細長く延びている方向は、複数のスイッチ装置が並んでいるスイッチ並び方向に沿っている。バスバ２１の主体部２１ａとバスバ２２の主体部２２ａは、バスバの板厚方向に間隔をあけて並んでいる。バスバ２２の主体部２２ａとバスバ２３の主体部２３ａは、バスバの板厚方向に間隔をあけて並んでいる。バスバ２２における接続端子部は、矩形板状である主体部２２ａの外縁における所定の位置から外側に向けて突出する脚部の先端側に位置する部位である。バスバ２２は、接続対象とするスイッチ装置における電力端子部の個数に応じた数の接続端子部および脚部を備えている。バスバ２２の各脚部が突出する方向や、その形状、曲げ角度、曲げ回数は、接続対象とする電力端子部の位置によって設定されている。
【００４４】
大電流端子部２２ｄは、主体部２２ａの一端で第２入出力端子１４１に結合されることにより、大電流が通電する。大電流端子部２２ｄは、主体部２２ａに対して電流が入出力する電流端子部である。接続端子部２２ｂ１、接続端子部２２ｂ２は、第１パワー素子３に対応する位置で、スイッチ並び方向に沿うように間隔をあけて設けられた、上方に突出する屈曲状の脚部よりも先端側の部分である。さらに接続端子部２２ｂ１と接続端子部２２ｂ２は、スイッチ装置およびバスバの並び方向について換言すれば上下方向とスイッチ並び方向との両方に垂直な方向について接続端子部２１ａ１および接続端子部２１ａ２と揃った位置となるように設けられている。接続端子部２２ｂ１は、最も大電流端子部２２ｄに近い位置にある第１パワー素子３の電力線部３２と結合する端子部である。接続端子部２２ｂ２は、大電流端子部２２ｄから二番目に近い位置にある第１パワー素子３の電力線部３２と結合する端子部である。
【００４５】
接続端子部２２ｂ３、接続端子部２２ｂ４は、第２パワー素子４に対応する位置で、スイッチ並び方向に沿うように間隔をあけて設けられた、上方に突出する屈曲状の脚部よりも先端側の部分である。さらに接続端子部２２ｂ３と接続端子部２２ｂ４は、スイッチ装置およびバスバの並び方向について換言すれば上下方向とスイッチ並び方向との両方に垂直な方向について接続端子部２３ａ１および接続端子部２３ａ２と揃った位置となるように設けられている。接続端子部２２ｂ４は、最も大電流端子部２３ｂに近い位置にある第２パワー素子４の電力線部４２と結合する端子部である。接続端子部２２ｂ４は、大電流端子部２３ｂから二番目に近い位置にある第２パワー素子４の電力線部４２と結合する端子部である。
【００４６】
バスバ２１、バスバ２２、バスバ２３における各接続端子部は、スイッチ装置の部品側端子である電力線部３２や電力線部４２と接続される部位である。複数のバスバ２１，２２は、互いの主体部の表面同士が対向し、主体部２１ａ，２２ａの表面に直交する直交方向に重なるように並んで設置されている。複数のバスバ２２，２３は、互いの主体部の表面同士が対向し、主体部２２ａ，２３ａの表面に直交する直交方向に重なるように並んで設置されている。この直交方向は、パワー素子とバスバとが並ぶ方向に沿う方向でもある。複数のバスバ２１，２３は、互いの主体部の表面に沿う方向に並んで設置されている。バスバ２１の主体部２１ａとバスバ２３の主体部２３ａは、主体部の表面に沿う方向に並んで設置されている。特許請求の範囲における第１のバスバと第２のバスバの組み合わせ例としては、この実施形態における、バスバ２１およびバスバ２２、バスバ２３およびバスバ２２、バスバ２１、バスバ２２およびバスバ２３、である。
【００４７】
電池装置１０における電気部品の一例であるスイッチ装置に関わる接続部材は、バスバ２２とバスバ２１またはバスバ２３を備えている。図６〜図８に図示する例では、主体部の表面に直交する直交方向に並んで設置されているバスバ２１とバスバ２２について、それぞれの接続端子部を説明する。バスバ２１の接続端子部２１ａ１，２１ａ２とバスバ２２の接続端子部２２ｂ１，２２ｂ２とは、主体部２１ａ，２２ａの表面に沿う方向に、あるいはスイッチ並び方向に並んでいる。また、第１のバスバの接続端子部と第２のバスバの接続端子部は、バスバの主体部の表面に直交する直交方向に対して交差する方向、換言すれば、バスバの主体部の表面に交差する方向に並ぶ構成でもよい。
【００４８】
電池装置１０における電気部品ユニットは、接続部材と、接続端子部に接続されている部品側端子をそれぞれ有する複数の電気部品と、を備えている。電気部品ユニットは、さらに第１のバスバおよび第２のバスバを主体部の表面に直交する直交方向に並ぶように収容するバスバ収容ケースを備えて構成してもよい。電気部品ユニットは、バスバ収容ケースを備えることにより、第１のバスバおよび第２のバスバを所望の位置に保持できるので、部品側端子との接続を予定されている接続端子部を直交方向に交差する交差方向に沿うように並べて設置することができる。
【００４９】
図７および図８に図示するように、バスバ２２における接続端子部２２ｂ１、接続端子部２２ｂ２は、主体部２２ａからバスバ２１側に突出して途中で屈曲する屈曲状の脚部よりも先端側の部分である。接続端子部２２ｂ１、接続端子部２２ｂ２は、部品側端子との接続部位がバスバ２１における接続端子部２１ａ１、接続端子部２１ａ２の接続面２１ｃと平行な接続面２２ｃをなす。接続端子部２１ａ１、接続端子部２１ａ２は、主体部２１ａの上端部から上方に突出する形状であり、部品側端子との接続部位が主体部の表面に沿う接続面２１ｃを形成している。接続端子部２２ｂ１および接続端子部２２ｂ２における各接続面２２ｃは、主体部２２ａの表面に直交する直交方向について、接続端子部２１ａ１および接続端子部２１ａ２における各接続面２１ｃと一致する位置にある。
【００５０】
したがって、接続端子部２２ｂ１、接続端子部２２ｂ２は、前述の直交方向について、バスバ２１の主体部２１ａおよび接続端子部２１ａ１，２１ａ２に一致する位置に設けられている。このように接続端子部２２ｂ１、接続端子部２２ｂ２は、主体部２２ａよりもスイッチ側に大きく突出して、部品側端子を迎えに行くような構成となっている。また、図６〜図８に図示する形態の他の例として、バスバ２１とバスバ２２とを置き換え、接続端子部２１ａ１、接続端子部２１ａ２が主体部２１ａよりもスイッチ側に大きく突出して部品側端子を迎えに行くような構成としてよい。
【００５１】
次に、第１実施形態によって得られる効果について説明する。電池装置１０における接続部材は、バスバ２１とバスバ２２、バスバ２３とバスバ２２、バスバ２１とバスバ２２とバスバ２３、のいずれかの組み合わせによって第１のバスバおよび第２のバスバを構成する。第１のバスバおよび第２のバスバを構成するバスバが主体部の表面に直交する直交方向に並んだ状態で、第１のバスバおよび第２のバスバを構成するバスバにおける接続端子部は、直交方向に交差する交差方向に沿うように並んでいる。各主体部と各接続端子部とをつないでいる前述の脚部、換言すれば延長部は、主体部が対向して並んでいる他のバスバの接続端子部側に向かって突出することにより、複数の接続端子部が前述の交差方向に沿うように並ぶことに寄与している。
【００５２】
この接続部材によれば、複数のバスバにおける複数の接続端子部が、主体部の表面に対して沿う方向または交差する方向に沿うように並んで配置されることになる。このため、複数の接続端子部のそれぞれと電力線部３２，４２とを接続する際に、工具や機械等を一方向に移動させて接続動作を行うことができるので、途中で方向を大きく変えないで接続動作を行うことができる。したがって、この接続部材によれば、接続動作を簡素化できるので、電気装置の一例であるスイッチ装置とバスバとの接続部の形成を容易に実施できる。
【００５３】
第１のバスバの接続端子部と第２のバスバの接続端子部は、主体部の表面に沿う方向に並んでいる。各主体部と各接続端子部とをつないでいる前述の脚部、換言すれば延長部は、主体部が対向して並んでいる他のバスバの接続端子部側に向かって突出することにより、複数の接続端子部が主体部の表面に沿う方向に並ぶことに寄与している。
【００５４】
この構成によれば、複数の接続端子部のそれぞれと電力線部３２，４２とを接続する際に、工具や機械等を一方向である、主体部の表面に沿った方向に移動させて接続動作を行うことができるので、途中で方向を大きく変えないで接続動作を行える。さらに、複数の接続端子部と接続されることになる複数のスイッチ装置が主体部の表面に沿った方向に並んでいる場合には、部品側端子の突出長さが同じであるスイッチ装置を使用することができる。したがって、電池装置１０に搭載する予定の複数のスイッチ装置について共通のものを使用することが可能であり、部品側端子の突出長さを加工したり、調整したりする必要がなく、スイッチ装置の共通部品化が図れる。
【００５５】
第１のバスバの接続端子部および第２のバスバの接続端子部は、主体部の表面に沿った部品側端子との接続面を有する。この構成によれば、部品側端子との接続面が、工具や機械等が移動する主体部に沿った方向に平行な平面を形成するので、溶接等の接合部の表面積を大きくでき、必要な結合力を確保できる。
【００５６】
第１のバスバの接続端子部および第２のバスバの接続端子部は、主体部の表面に対して交差する交差方向に沿う部品側端子との接続面を有する。この構成によれば、部品側端子との接続面が、工具や機械等が移動する交差方向に沿う平面を形成するので、溶接等の接合部の表面積を大きくでき、必要な結合力を確保できる。この構成によれば、第１のバスバまたは第２のバスバよりも接続端子部が外側に突出しないため、接続部材の体格を抑えることができ、電池装置１０の小型化が図れる。また、この構成によれば、第１のバスバおよび第２のバスバのいずれか一方の接続端子部を他方のバスバ側に突出させない構成にできるため、接続端子部に対する曲げ等の加工を削減することができる。
【００５７】
第１のバスバの接続端子部と第２のバスバの接続端子部は、主体部の表面に直交する直交方向に並ぶ複数のバスバのうち最も端に設けられたバスバに一致する位置に設けられている。この構成によれば、最も端に位置するバスバよりも接続端子部が外側に突出しないため、接続部材の体格を抑えることができ、電池装置１０の小型化が図れる。
【００５８】
スイッチ装置の外装部は、回路基板２から離間した状態で設置されている。この構成によれば、スイッチ装置の外装部は回路基板２に接触していないため、回路基板２が放熱経路に含まれないように構成できる。これにより、スイッチ装置の熱は熱抵抗が大きい回路基板２を経由することなく放熱部材６Ａ，６Ｂに伝わるため、スイッチ装置が回路基板２に接触している構成に比べて放熱性能を向上することができる。
【００５９】
スイッチ装置は、電気信号を伝達する信号線部３１と電力を伝達する電力線部３２とを有している。電力線部３２は、回路基板２には接続されず、入出力端子にバスバ３３を介して連結されている。信号線部３１は、スイッチ装置の内部から外部に突出するリード端子であり、回路基板２に接続されている。信号線部３１は、基板の孔に通して、基板の片面あるいは両面にはんだ付けすることにより、回路基板２に接続されている。この構成によれば、信号線部３１には大きな電流が流れることがないため、信号線部３１から回路基板２への大きな熱移動は生じず、電力線部３２は回路基板２には接続されていないため、電力線部３２の発熱は回路基板２へ移動しないようになっている。したがって、電力線部３２の発熱をスイッチ装置を介して放熱部材６Ａ，６Ｂへ移動させて放熱することができる。
【００６０】
第１実施形態の接続部材によれば、第１のバスバの主体部と第２のバスバの主体部は板厚方向に間隔をあけて並んでいる。第１のバスバの電流端子部と第２のバスバの電流端子部は、それぞれの主体部において、主体部が延びる方向に互いにずれた位置から同じ向きに突出するように設けられている。
【００６１】
この構成によれば、図２０のように二つの主体部を一方向に延ばして形成した場合と、図３のように途中で屈曲させて形成した場合とによって、大電流端子部２１ｂおよび大電流端子部２２ｄを複数の異なる方向に突出させることができる。これにより、大電流端子部２１ｂおよび大電流端子部２２ｄに接続される入出力端子について設置場所の自由度が高い接続部材を提供できる。
【００６２】
図３に示す構成によれば、バスバ２１の大電流端子部２１ｂとバスバ２２の大電流端子部２２ｄは、途中で屈曲した形状である主体部２１ａ，２２ａの端部が延びる方向に互いにずれた位置で、板厚方向に並んでいる主体部のそれぞれから同じ方向に突出している。この構成によれば、主体部を途中で屈曲させて形成した二つのバスバにおいて、二つの主体部の並び方向に対して交差する方向に突出させた大電流端子部２１ｂと大電流端子部２２ｄを提供できる。
【００６３】
（第２実施形態）
第２実施形態では、第１実施形態に対する他の形態について図９〜図１１を参照して説明する。各図において、第１実施形態の図面中と同一符号を付した構成要素は、同様の構成要素であり、同様の作用効果を奏するものである。以下、第１実施形態と相違する内容について説明する。
【００６４】
図９〜図１１に図示する例は、第１実施形態の図６〜図８に図示する形態の変形例である。主体部の表面に直交する直交方向に並んで設置されているバスバ１２１とバスバ２２について、それぞれの接続端子部を説明する。バスバ１２１の接続端子部１２１ａ１，１２１ａ２とバスバ２２の接続端子部２２ｂ１，２２ｂ２とは、主体部１２１ａ，２２ａの表面に沿う方向に、あるいはスイッチ並び方向に並んでいる。
【００６５】
バスバ１２１はバスバ２１に対して、接続端子部１２１ａ１、接続端子部１２１ａ２が、主体部１２１ａからバスバ２２側に突出して途中で屈曲する脚部の先端部分である点が相違する。接続端子部１２１ａ１、接続端子部１２１ａ２は、部品側端子との接続部位がバスバ２２における接続端子部２２ｂ１、接続端子部２２ｂ２の接続面２２ｃと平行な接続面１２１ｃをなす。接続端子部１２１ａ１および接続端子部１２１ａ２における各接続面１２１ｃは、主体部１２１ａの表面に直交する直交方向について、接続端子部２２ｂ１および接続端子部２２ｂ２における各接続面２２ｃと一致する位置にある。
【００６６】
接続端子部１２１ａ１、接続端子部１２１ａ２、接続端子部２２ｂ１および接続端子部２２ｂ２は、前述の直交方向について、バスバ１２１とのバスバ２２との間に、または主体部１２１ａと主体部２２ａとの間に位置するように設けられている。このように接続端子部１２１ａ１、接続端子部１２１ａ２は、主体部１２１ａよりもバスバ２２側に大きく突出して、パワー素子の外装部から離れるように突出している。接続端子部２２ｂ１、接続端子部２２ｂ２は、主体部２２ａよりもスイッチ側に突出して、部品側端子を迎えに行くような構成となっている。
【００６７】
第２実施形態の接続部材によれば、接続端子部が第１のバスバまたは第２のバスバよりも外側に突出しないため、スイッチ装置と接続部材とを合わせた前述の直交方向の体格を抑えることができ、電池装置１０の小型化が図れる。
【００６８】
第２実施形態によれば、第１のバスバの接続端子部と第２のバスバの接続端子部は、主体部の表面に直交する直交方向に並ぶ複数のバスバのうち両端に設けられたバスバとバスバとの間に位置するように設けられている。この構成によれば、接続端子部が最も端に位置するバスバよりも外側に突出しないため、接続部材の体格を抑えることができ、電池装置１０の小型化が図れる。
【００６９】
（第３実施形態）
第３実施形態では、第１実施形態に対する他の形態について図１２〜図１４を参照して説明する。各図において、前述の実施形態の図面中と同一符号を付した構成要素は、同様の構成要素であり、同様の作用効果を奏するものである。以下、前述の実施形態と相違する内容について説明する。
【００７０】
図１２〜図１４に図示する例は、第２実施形態の図９〜図１１に図示する形態の変形例である。主体部の表面に直交する直交方向に並んで設置されているバスバ２２１とバスバ２２について、それぞれの接続端子部を説明する。バスバ２２１の接続端子部２２１ａ１，２２１ａ２とバスバ２２の接続端子部２２ｂ１，２２ｂ２とは、主体部２２１ａ，２２ａの表面に沿う方向に、あるいはスイッチ並び方向に並んでいる。
【００７１】
バスバ２２１はバスバ１２１に対して、接続端子部２２１ａ１、接続端子部２２１ａ２が、接続端子部２２ｂ１、接続端子部２２ｂ２よりも上方に位置している点が相違する。接続端子部２２１ａ１、接続端子部２２１ａ２は、図１３に図示するように、部品側端子と接続される下端部が接続端子部２２ｂ１、接続端子部２２ｂ２の上端よりも上方に位置するように、大きく上方に突出する脚部も先端の部分である。したがって、接続端子部２２１ａ１や接続端子部２２１ａ２と接続される部品側端子は、接続端子部２２ｂ１や接続端子部２２ｂ２と接続される部品側端子よりも上方に設置されることなる。
【００７２】
接続端子部２２１ａ１、接続端子部２２１ａ２は、部品側端子との接続部位がバスバ２２における接続端子部２２ｂ１、接続端子部２２ｂ２の接続面２２ｃと平行な接続面２２１ｃをなす。接続端子部２２１ａ１および接続端子部２２１ａ２における各接続面２２１ｃは、主体部２２１ａの表面に直交する直交方向について、接続端子部２２ｂ１および接続端子部２２ｂ２における各接続面２２ｃと一致する位置にある。
【００７３】
接続端子部２２１ａ１、接続端子部２２１ａ２、接続端子部２２ｂ１および接続端子部２２ｂ２は、前述の直交方向について、バスバ２２１の主体部２２１ａとバスバ２２の主体部２２ａとの間に位置するように設けられている。この接続端子部２２１ａ１、接続端子部２２１ａ２は、主体部２２１ａよりもバスバ２２側に突出するとともにバスバ２２の接続端子部よりも上方に突出する。このため、電力線部３２の高さ位置が異なるパワー素子と接続することができる。
【００７４】
第３実施形態の接続部材によれば、接続端子部が第１のバスバまたは第２のバスバよりも外側に突出しないため、スイッチ装置と接続部材とを合わせた前述の直交方向の体格を抑えることができ、電池装置１０の小型化が図れる。
【００７５】
第３実施形態によれば、第１のバスバの接続端子部と第２のバスバの接続端子部は、主体部の表面に直交する直交方向に並ぶ複数のバスバのうち両端に設けられたバスバとバスバとの間に位置するように設けられている。
【００７６】
（第４実施形態）
第４実施形態では、第１実施形態に対する他の形態について図１５を参照して説明する。各図において、第１実施形態の図面中と同一符号を付した構成要素は、同様の構成要素であり、同様の作用効果を奏するものである。以下、第１実施形態と相違する内容について説明する。
【００７７】
図１５に図示するように、主体部の表面に直交する直交方向に並んで設置されているバスバ３２１とバスバ１２２とは、それぞれの接続端子部について上下方向の高さ位置が同等であるが、主体部について高さ位置が異なっている。バスバ１２２は、スイッチ装置方向に細長い主体部１２２ａと、主体部１２２ａからそれぞれ突出する接続端子部１２２ｂ１および接続端子部１２２ｂ２と、を備える。バスバ３２１は、スイッチ並び方向に細長い主体部３２１ａと、主体部３２１ａからそれぞれＵ字状の屈曲状部を介して突出する接続端子部３２２ａ１および接続端子部３２２ａ２と、を備える。
【００７８】
主体部３２１ａは主体部１２２ａよりも下方に位置しており、主体部３２１ａから接続端子部まで延びるＵ字状の屈曲状部は、主体部１２２ａと同等の上下方向長さを有している。バスバ３２１の接続端子部３２１ａ１，３２１ａ２とバスバ２２の接続端子部１２２ｂ１，１２２ｂ２とは、主体部３２１ａ，１２２ａの表面に沿う方向に、あるいはスイッチ並び方向に並んでおり、上下方向の位置も揃っている。
【００７９】
接続端子部３２１ａ１、接続端子部３２１ａ２は、部品側端子との接続部位がバスバ１２２における接続端子部１２２ｂ１、接続端子部１２２ｂ２の接続面１２２ｃと平行な接続面３２１ｃをなす。接続端子部３２１ａ１および接続端子部３２１ａ２における各接続面３２１ｃは、主体部３２１ａの表面に直交する直交方向について、接続端子部１２２ｂ１および接続端子部１２２ｂ２における各接続面１２２ｃと一致する位置にある。
【００８０】
接続端子部３２１ａ１、接続端子部３２１ａ２は、前述の直交方向について、バスバ１２２の主体部１２２ａおよび接続端子部１２２ｂ１，１２２ｂ２に一致する位置に設けられている。主体部３２１ａは、前述の直交方向について、接続端子部３２１ａ１，３２１ａ２に一致する位置に設けられている。
【００８１】
第４実施形態の接続部材によれば、第１のバスバの主体部と第２のバスバの主体部は、主体部の表面に直交する直交方向について、同じ位置で上下に並ぶ位置関係である。この構成によれば、第１のバスバの主体部と第２のバスバの主体部とを収容するバスバ支持部材の体格を抑えることができる。さらにこの構成によれば、接続端子部も主体部と上下方向に並ぶ位置関係であるため、前述の直交方向における接続部材の寸法を小さくでき、電池装置１０の小型化にも寄与する。
【００８２】
（第５実施形態）
第５実施形態では、第２実施形態に対する他の形態について図１６を参照して説明する。各図において、第１実施形態の図面中と同一符号を付した構成要素は、同様の構成要素であり、同様の作用効果を奏するものである。以下、第２実施形態と相違する内容について説明する。
【００８３】
図１６に図示するように、接続端子部１２１ａ１および接続端子部１２１ａ２における各接続面１２１ｃは、主体部１２１ａの表面に直交する直交方向について、接続端子部２２ｂ１および接続端子部２２ｂ２における各接続面２２ｃに対して板厚分程度ずれた位置にある。第５実施形態の構成によっても、第１のバスバの接続端子部と第２のバスバの接続端子部は、主体部１２１ａの表面に沿う方向に並んでいることになる。第５実施形態で説明した、第１のバスバの接続端子部における各接続面と第２のバスバの接続端子部における各接続面とが板厚分程度ずれた位置にある構成は、第２実施形態以外の実施形態における第１のバスバと第２のバスバにおいても適用することができる。
【００８４】
（第６実施形態）
第６実施形態では、第１実施形態のバスバ２１，２２に対する他の形態であるバスバ４２１とバスバ２２２について図２０を参照して説明する。第１のバスバであるバスバ４２１と第２のバスバであるバスバ２２２は、図２０に示した部分以外の構成は、第１実施形態のバスバ２１、バスバ２２と同様であり、同様の作用効果を奏するものである。以下、第１実施形態と相違する内容について説明する。
【００８５】
図２０に示すように、バスバ４２１の大電流端子部４２１ｂとバスバ２２２の大電流端子部２２２ｄは、主体部４２１ａ，２２２ａが延びる方向に互いにずれた位置で板厚方向に並んでいる主体部のそれぞれから同じ方向に突出している。主体部４２１ａ、主体部２２２ａが延びる方向は、スイッチ並び方向でもある一方向である。大電流端子部４２１ｂ、大電流端子部２２２ｄは、それぞれ大電流端子部２１ｂ、大電流端子部２２ｄに相当する部位である。主体部４２１ａ、主体部２２２ａは、それぞれ主体部２１ａ、主体部２２ａに相当する部位である。
【００８６】
第６実施形態によれば、第１のバスバの主体部４２１ａと第２のバスバの主体部２２２ａは板厚方向に間隔をあけて並んでいる。第１のバスバの大電流端子部４２１ｂと第２のバスバの大電流端子部２２２ｄは、それぞれの主体部４２１ａ，２２２ａにおいて、主体部が延びる一方向に互いにずれた位置から同じ向きに突出するように設けられている。この構成によれば、二つの主体部を一方向に延ばして形成した場合に、二つの主体部の並び方向に突出させた大電流端子部２１ｂと大電流端子部２２ｄを提供することができる。
【００８７】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００８８】
前述の実施形態において、バスバと接続されスイッチ装置は、電気部品に含まれる、ヒューズ、抵抗、コンデンサ等の部品に置き換えることができる。
【００８９】
前述の実施形態において、部品側端子と接続端子部との結合は、かしめ、ねじやボルトナットによる締結構造、ＴＩＧ溶接に代表される溶融接合、レーザ溶接、抵抗溶接等の固相溶接、といった方法を採用することができる。また、ＴＩＧ溶接を行う場合には、凝固割れを防ぐために、少なくとも一方の部材に無酸素銅を使用することが好ましい。
【００９０】
部品側端子である電力線部３２と接続端子部２１ａ１等の先端形状は、フラット形状の他、図１７に示すような凸形状であってもよい。また、部品側端子である電力線部３２と接続端子部２１ａ１等の先端形状は、図１８に示すように電力線部３２または接続端子部２１ａ１の一方の先端を面取りする形状であってもよい。これらの場合、溶接等を行う箇所は、２つの部分の合わせ部である。また、２つの部分を向かい合わせる方向は横方向でもよいし、上下方向でもよい。部品側端子である電力線部３２と接続端子部２１ａ１等の結合方法は、図１９に示すように電力線部３２の表面と接続端子部２１ａ１の表面とを接触させた状態で一方の表面からＴＩＧ溶接等を行う方法であってもよい。
【００９１】
特許請求の範囲に含まれる第１のバスバと第２のバスバは、この明細書に記載したバスバの組み合わせや個数に限定されるものではない。例えば、主体部に対して直交する方向に並んで設置されているバスバは３個以上であってもよい。
【００９２】
前述の実施形態における第１のバスバと第２のバスバのそれぞれにおける脚部は、屈曲状であるが、湾曲状であってもよい。
【００９３】
前述の実施形態における第１のバスバと第２のバスバは、板厚が異なるものでもよい。また、前述の実施形態における第１のバスバにおける接続端子部と第２のバスバにおける接続端子部は、板厚や、その並び方向の幅寸法が異なる構成でもよい。
【００９４】
前述の実施形態におけるパワー素子は、半導体素子を有さない、電池に対する電力の入出力を制御するメカニカルリレーに置き換えることができる。メカニカルリレーは、例えばコイルと接点部を有し、接点部を閉じることにより電力の流通を許可する状態を実現して電力の入出力を制御するスイッチ装置である。メカニカルリレーの場合、その外装部は、例えば樹脂によって形成された直方体状のケースをなす。ケースの外部には、前述したように、信号線部３１および電力線部３２がそれぞれ突出している。このように特許請求の範囲で記載するスイッチ装置には、パワー素子、メカニカルリレー等が含まれる。
【００９５】
前述の実施形態において、外部電池１７、組電池１３のそれぞれを構成する単電池は、第１実施形態で記載した鉛蓄電池、リチウムイオン二次電池の他、例えばニッケル水素二次電池、有機ラジカル電池で構成してもよい。
【００９６】
前述の実施形態において電池装置が備える単電池は、例えば、外装ケースが薄い平板状の形態をなし、外装ケースがラミネートシートで形成されている形態でもよい。ラミネートシートは、絶縁性の高い素材で構成されている。この場合、単電池は、例えば二つ折りにされたラミネートシートの端部同士を熱融着することにより当該端部同士を封止して密閉された扁平状容器の内部空間を有する。この内部空間には、電極集合体、電解質、端子接続部、正極端子部の一部、および負極端子部の一部を含む電池本体部が内蔵されている。したがって、単電池は、扁平状容器の周縁部が封止されることにより、電池本体部が扁平状容器の内部に密封状態で収容されている。単電池は、扁平状容器から外方へ引き出された一対の電極端子を有する。
【００９７】
前述の実施形態において電池装置が備える単電池として、例えば、円柱状の外形形状である単電池を用いてもよい。
【００９８】
前述の実施形態において、電池装置が備える電池は１個または複数の単電池で構成することができる。複数の単電池は、上下方向に積層された形態でもよいし、横方向に並べて積層された形態でもよい。
【符号の説明】
【００９９】
３…第１パワー素子（電気部品）、  ４…第２パワー素子（電気部品）
１３…組電池（二次電池）、  １６…バスバ支持部材（バスバ収容ケース）
２１，２３…バスバ（第１のバスバ）、  ２１ａ，２２ａ，２３ａ…主体部
２１ａ１，２１ａ２，２２ｂ１，２２ｂ２，２２ｂ３，２２ｂ４，２３ａ１，２３ａ２…接続端子部、２２…バスバ（第２のバスバ）、  ３２、４２…電力線部（部品側端子）
【図１】
2018067530.tif 000003
【図２】
2018067530.tif 000004
【図３】
2018067530.tif 000005
【図４】
2018067530.tif 000006
【図５】
2018067530.tif 000007
【図６】
2018067530.tif 000008
【図７】
2018067530.tif 000009
【図８】
2018067530.tif 000010
【図９】
2018067530.tif 000011
【図１０】
2018067530.tif 000012
【図１１】
2018067530.tif 000013
【図１２】
2018067530.tif 000014
【図１３】
2018067530.tif 000015
【図１４】
2018067530.tif 000016
【図１５】
2018067530.tif 000017
【図１６】
2018067530.tif 000018
【図１７】
2018067530.tif 000019
【図１８】
2018067530.tif 000020
【図１９】
2018067530.tif 000021
【図２０】
2018067530.tif 000022